(57)【要約】【課題】浄化槽本体と放流ポンプ槽との高さが違っていても、コンクリート底版に段差をつける必要がなく、また、浄化槽全体の設置面積も広めに確保することを要しない放流ポンプ槽付き浄化槽。【解決手段】上槽と下槽とを合わせて形成する浄化槽（本体）１ａの出口（流出口）側のフランジ突起部１ｂに第一の紐状固定部材４を固定し、浄化槽（本体）の上槽に第二の紐状固定部材５を固定し、前記二つの（環状）紐状固定部材４，５を利用して、浄化槽（本体）の出口側に放流ポンプ槽２を立設・固定して、放流ポンプ槽付き浄化槽１とする。【選択図】図１
2004148201.tif 000002
【特許請求の範囲】
【請求項１】
上槽と下槽とを合わせて形成する浄化槽（本体）の出口側のフランジ突起部に第一の紐状固定部材を固定し、
浄化槽上槽に第二の紐状固定部材を固定し、
前記二つの紐状固定部材を利用して、浄化槽（本体）の出口側に放流ポンプ槽を立設・固定してなる放流ポンプ槽付き浄化槽。
【請求項２】
フランジ突起部への第一の紐状固定部材の固定は、フランジ突起部に固定した取付補助金具を介するものである、請求項１の放流ポンプ槽付き浄化槽。
【請求項３】
放流ポンプ槽の流入口部は、放流ポンプ槽の内部方向に向かって引っ込んだ開口に、浄化槽本体からの流出管の先端が差し込まれて、ソケット形状に形成されている、請求項１又は２の放流ポンプ槽付き浄化槽。
【発明の詳細な説明】
【０００１】
【発明の属する技術分野】
本発明は、住宅等から排出される屎尿や雑排水などの汚水を処理・浄化する放流ポンプ槽付き浄化槽に関するものである。
【０００２】
【従来の技術】
浄化槽で処理・浄化した処理水を放流する場合で、放流先が遠くて自然流下では、処理水が放流先まで流れないとき、あるいは、放流先の高さが流出口の高さよりも高くて逆勾配となるときには、通常、図７の従来例に示すように、浄化槽本体に浄化槽用放流ポンプ槽を並置し、処理水を放流先へポンプ圧送する。この例では、浄化槽本体１ａと放流ポンプ槽２との絶対高さ（座高）が違っているので、図示するように、コンクリート底版１１を２段階に敷設し、その上に、浄化槽本体１ａ及び放流ポンプ槽２（浄化槽本体１ａから独立している槽）を置き、浄化槽本体１ａ及び放流ポンプ槽２の各々の上面高さを揃えたうえで、浄化槽本体１ａの放流口６と放流ポンプ槽２の流入口７とをパイプ８で接続し、浄化槽本体１ａからの処理水を放流ポンプ槽２に移流させる。
【０００３】
また、下記の特許文献１に開示された方法では、浄化槽本体の出口（放流口）側を加工し、台座を設け、これに放流ポンプ槽を載置し、浄化槽本体と放流ポンプ槽の各々の上面高さを揃えている。この方法により、上記のようなコンクリート底版の２段階の敷設を避け、浄化槽全体の設置面積を広めに確保しなくとも済む。
【０００４】
【特許文献１】
特開２００１−３００５６７号公報
【０００５】
【発明が解決しようとする課題】
本発明は、特開２００１−３００５６７号に開示された方法を更に改良するものであり、浄化槽本体１ａと放流ポンプ槽２との高さが違っていても、コンクリート底版１１に段差をつける必要がなく、また、浄化槽全体の設置面積も広めに確保することを要しない放流ポンプ槽付き浄化槽を提供することである。
【０００６】
【課題を解決するための手段】
本発明は、要するに、次の構造を有する放流ポンプ槽付き浄化槽である。すなわち、
上槽と下槽とを合わせて形成する浄化槽（本体）１ａの出口（流出口）側のフランジ突起部１ｂに第一の紐状固定部材４を固定し、
浄化槽（本体）の上槽に第二の紐状固定部材５を固定し、
前記二つの（環状）紐状固定部材４，５を利用して、浄化槽（本体）の出口側に放流ポンプ槽２を立設・固定してなる放流ポンプ槽付き浄化槽１である。
【０００７】
ここで、フランジ突起部１ｂへの第一の紐状固定部材４の固定は、好ましくは、フランジ突起部に固定した取付補助金具３を介するものとする。
【０００８】
また、放流ポンプ槽２の流入口部７は、放流ポンプ槽２の内部方向に向かって引っ込んだ開口に、浄化槽本体１ａからの流出管６の先端が差し込まれて、ソケット形状を形成しているものが好ましい。
また、放流ポンプ槽２の上部には、高さ調整用枠２ａを設けることが好ましい。浄化槽本体１ａの上面（マンホール蓋）と放流ポンプ槽２の上面との高さを揃えるためである。
【０００９】
【作用】
本発明の放流ポンプ槽付き浄化槽では、取付補助金具に固定した第一の紐状固定部材と、浄化槽上槽に固定した第二の紐状固定部材との、二つの（環状）紐状固定部材を利用して、放流ポンプ槽を立設・固定しているので、基礎のコンクリート底版に段差をつける必要がない。また、浄化槽本体への加工作業も少ないため、現場での放流ポンプ槽付設工事が容易である。
【００１０】
【発明の実施の形態】
以下、添付図面を参照しながら、本発明を更に具体的に説明する。
図１は本発明の放流ポンプ槽付き浄化槽の部分斜視図であり、図２（ａ）は本発明の放流ポンプ槽付き浄化槽の部分平面図であり、図２（ｂ）は同部分正面図であり、図３は本発明の放流ポンプ槽付き浄化槽の側面図である。
浄化槽本体の内部構造の図示は省略したが、上流側から、嫌気処理槽（嫌気濾床槽第一室、嫌気濾床槽第二室等）、好気濾床槽、処理水槽（又は沈殿槽）及び消毒槽の各槽で構成され、好気濾床槽の濾床の下方には散気管が配置されている。また、好気濾床槽等へ空気を送るためのブロワ（図示せず）も備えられ、各槽内を上側から点検できるようにマンホールとそれを塞ぐマンホールカバーも設けられている。
【００１１】
浄化槽本体１ａの出口（流出口）側のフランジ突起部１ｂには、細長な折曲板状（断面略Ｌ字状）の取付座３を付設しており、その取付座３に接続バンド下４を取り付けている。また、取付座３の一段上の浄化槽出口（流出口）側の上槽壁面に、ボルト／ナットなどの固定具を用いて接続バンド上５を取り付け、上記二つの接続バンド下４及び接続バンド上５（いずれも環状物）を用いて、放流ポンプ槽２を立設・固定している（図１）。
【００１２】
図４に、浄化槽本体１ａの出口部（すなわち、放流ポンプ槽側の流入部）の拡大図を示した。放流ポンプ槽側の流入部では、漏水等を避けるために、放流ポンプ槽の内部方向に向かって引っ込んだ穴を形成しており、浄化槽本体１ａからの流出管（出口）６の先端をその穴に差し込み、接続部分は接着剤等で接着する（ソケット状となる）。浄化槽本体１ａからの流出管６は、塩化ビニル製が多いので、放流ポンプ槽側の流入口部も通常、塩化ビニル製となることが多い。ただし、流出管（出口）６の素材は、塩化ビニル以外にも、ＦＲＰ、ジシクロペンタジエン樹脂等のプラスチック類でもよい。
【００１３】
図５に、取付座近傍の拡大図を示した。フランジ突起部１ｂへの取付座３の固定は、浄化槽本体１ａから漏水しないように、図示したように、フランジ突起部１ｂ（浄化槽の上槽と下槽との接合部）において、ボルト／ナット９を利用し固定している。ここで、取付座３は、細長な折曲板状（断面略Ｌ字状）で、放流ポンプ槽２の大きさにもよるが、厚みは２〜６ｍｍ程度であり、鉄、ステンレス、アルミニウム等の素材から選ぶ。強度を増すために、リブや断押し構造としてもよい。
【００１４】
接続バンド下４及び接続バンド上５は、ステンレス、アルミニウム等の金属板を帯状に加工したもので用いることができ、厚みは２〜５ｍｍ程度、幅３０〜７０ｍｍ程度で、放流ポンプ槽の外寸に合わせ加工したものを用いることができる。接続バンド下４の両端は、ボルト／ナット１０を用いて取付座３に固定する。接続バンド上５の両端は、ボルト／ナットを用いて浄化槽の上槽（壁面）に固定する。
【００１５】
放流ポンプ槽２の上部には、上下５〜１５ｍｍ程度の範囲でスライドできる長穴を設けた高さ調整用枠２ａを備えており、放流ポンプ槽２を取り付けた後に、浄化槽本体１ａの高さと合わせるように高さ調整できる。高さ調整を行った後、高さ調整用枠２ａの外周３点をボルト締めして固定する。
【００１６】
図６は、放流ポンプ槽２内の内部構成を図示した。基本的には、従来の構成と変わらない。
【００１７】
【発明の効果】
本発明の放流ポンプ槽付き浄化槽によれば、基礎のコンクリート底版に段差をつける必要がない。また、浄化槽本体への加工作業も少ないため、現場での放流ポンプ槽付設工事が容易である。
【図面の簡単な説明】
【図１】本発明の放流ポンプ槽付き浄化槽の部分斜視図。
【図２】（ａ）は本発明の放流ポンプ槽付き浄化槽の部分平面図、（ｂ）は同部分正面図。
【図３】本発明の放流ポンプ槽付き浄化槽の側面図。
【図４】浄化槽本体１ａの出口（流出口）部の拡大図。
【図５】放流ポンプ槽取付座近傍の拡大図。
【図６】（ａ）は本発明の放流ポンプ槽付き浄化槽の平面図、（ｂ）はＡ−Ａ断面図。
【図７】放流ポンプ槽を接続した従来例の浄化槽で、（ａ）は平面図、（ｂ）はＣ−Ｃ断面図。
【符号の説明】
１：放流ポンプ槽付き浄化槽    １ａ：浄化槽（浄化槽本体）
１ｂ：（上槽と下槽との合わせ部分の）フランジ突起部
２：放流ポンプ槽    ２ａ：高さ調整用枠
３：取付補助金具（取付座）
４：第一の紐状固定部材（接続バンド下）
５：第二の紐状固定部材（接続バンド上）
６：浄化槽本体からの流出管（出口部）
７：放流ポンプ槽の流入口部    ８：パイプ
９、１０：ボルト／ナット
１１：コンクリート底版    １２：捨てコンクリート
１３：割栗石    １４：放流ポンプ
１５：放流ポンプ排水管
【図１】
2004148201.tif 000003
【図２】
2004148201.tif 000004
【図３】
2004148201.tif 000005
【図４】
2004148201.tif 000006
【図５】
2004148201.tif 000007
【図６】
2004148201.tif 000008
【図７】
2004148201.tif 000009